(57)【要約】      （修正有）【課題】上窓サッシと下窓サッシとを連結するための段窓無目を使用せず、施工性に優れるとともに、嵌め殺し窓、引き違い窓等の各種窓を装着できる段窓を形成しうる単窓サッシ及びこれを用いた段窓サッシを提供する。【解決手段】下枠２の下方若しくは上枠１の上方、又は下枠２の下方及び上枠１の上方には、単窓サッシ若しくはこの単窓サッシを組み合わせた段窓サッシを選択可能に構成する。サッシ枠組み構造は、第１のアタッチメント５の係合部を下枠２の下方の係合受け部２ａに係合させ、下枠２に第１のアタッチメント５を取付けることにより、前記単窓サッシが形成される態様と、下枠２の下方及び上枠１の上方の係合受け部１ａ，１ｂ，２ａ，２ｂに第２のアタッチメント６の第１及び第２係合部６ａ，６ｂ，６ｄ，６ｅを係合させ、下枠２と上枠１とを第２のアタッチメント６で連結することにより、段窓サッシが形成される態様と、を選択可能とする。【選択図】図６
2005126910.tif 000002
【特許請求の範囲】
【請求項１】
上下枠及び左右縦枠から構成されるサッシ枠組み構造であって、
前記下枠の下方若しくは上枠の上方、又は前記下枠の下方及び上枠の上方には、単窓サッシ若しくはこの単窓サッシを組み合わせた段窓サッシを選択可能に構成する、アタッチメントを係合させる係合受け部が形成され、
前記アタッチメントは、前記下枠の下方に形成された前記係合受け部に係合する係合部と、躯体に下枠を取付けるための取付け片と、を備えた第１のアタッチメントと、
中空部と、該中空部の上方に前記下枠の下方に形成された前記係合受け部に係合する第１係合部と、該中空部の下方に前記上枠の上方に形成された前記係合受け部に係合する第２係合部と、を備えた第２のアタッチメントと、からなり、
前記サッシ枠組み構造は、前記第１のアタッチメントの係合部を前記下枠の下方の係合受け部に係合させ、前記下枠に前記第１のアタッチメントを取付けることにより、前記単窓サッシが形成される態様と、
前記下枠の下方及び上枠の上方の係合受け部に前記第２のアタッチメントの前記第１及び第２係合部を係合させ、前記下枠と前記上枠とを前記第２のアタッチメントで連結することにより、前記段窓サッシが形成される態様と、を選択可能とされる、
ことを特徴とするサッシ枠組み構造。
【請求項２】
前記上枠はその上方に、前記アタッチメントを係合させる室内側係合受け部及び室内側係合受け部と、前記上枠を躯体に取付けるための取付け片と、を備え、
前記下枠はその下方に、前記アタッチメントを係合させる室内側係合受け部及び室内側係合受け部を備えた、請求項１記載のサッシ枠組み構造。
【請求項３】
前記第１のアタッチメントは、前記下枠の下方に形成された室外側係合受け部及び室内側係合受け部に係合する、室外側係合部及び室内側係合部を有する板状の本体部と、この本体部の中間に配設された前記取付け片と、を備え、
前記第１のアタッチメントを前記下枠に取付けた状態で、第１のアタッチメントの前記取付け片と前記上枠の取付け片とが略同一面上になるように構成された、請求項１又は２記載のサッシ枠組み構造。
【請求項４】
前記第２のアタッチメントは、中空部と、該中空部の上方に前記下枠の下方に形成された室外側係合受け部及び室内側係合受け部に係合する、室外側第１係合部及び室内側第１係合部と、該中空部の下方に前記上枠の上方に形成された室外側係合受け部及び室内側係合受け部に係合する、室外側第２係合部及び室内側第２係合部と、を備え、
前記下枠と前記上枠とを前記第２のアタッチメントで連結した状態で、前記上枠の取付け片と前記中空部の室外側側面とが当接し、段窓サッシにおける上窓サッシと下窓サッシの少なくとも室内面が略同一面上になるように構成された、請求項１乃至３のいずれか１項記載のサッシ枠組み構造。
【請求項５】
前記上枠の取付け片と前記中空部の室外側側面とをビス止めすることにより、段窓サッシの枠組み構造が形成される構成とした、請求項１乃至４のいずれか１項記載のサッシ枠組み構造。
【請求項６】
前記上枠と前記下枠との隙間に弾性を有する無目を嵌合させることにより、段窓サッシの枠組み構造が形成される構成とした、請求項１乃至５のいずれか１項記載のサッシ枠組み構造。
【発明の詳細な説明】
【技術分野】
【０００１】
本発明は、サッシの枠組み構造に関し、詳しくは単窓サッシ及びこれを連結した段窓サッシに係る枠組み構造に関する。
【背景技術】
【０００２】
建物の開口部に取付ける窓として、単窓を左右に連結して取付ける連窓と、単窓を上下に連結して取付ける連段窓（段窓）が知られている。
【０００３】
このうち単窓サッシを上下に組み合わせて形成される段窓サッシは、従来より、上窓サッシの下枠と下窓サッシの上枠との間に専用の段窓無目を挿入し、この段窓無目を上窓サッシの下枠と下窓サッシの上枠とに係合させるとともに、ビス止めすることによって、上窓サッシと下窓サッシとを連結し形成していた。（例えば、特許文献１参照）がある。
【特許文献１】特開平１１−１９０１６９号公報（５頁、図２）
【発明の開示】
【発明が解決しようとする課題】
【０００４】
しかしながら、無目を介して上窓サッシと下窓サッシとを連結して、段窓サッシを形成する構造を採用しているので、専用の段窓無目を上下枠とは別部材として製作する必要があり、部点数が増え、製造コストをアップさせていた。
【０００５】
また、上記構造を有するので、段窓無目の部材にはそれなりの強度が要求されるため、段窓無目の部材断面の大きさは上下枠と略同じぐらいの大きさを有し、見付が大きくなりがちで、内外観デザインの観点から、好ましいものではなかった。
【０００６】
さらに、上窓枠の下枠と下窓枠の上枠とを段窓無目に連結するために、それぞれビス止めしなければならなかったため、作業効率も悪かった。
【０００７】
そこで、本発明は、上窓サッシと下窓サッシとを連結するための段窓無目を使用せず、施工性に優れるとともに、部材の共通化をはかり製造コストを抑えつつ、嵌め殺し窓、引き違い窓等の各種窓を装着できる段窓を形成しうる単窓サッシ及びこれを用いた段窓サッシを提供することにある。
【課題を解決するための手段】
【０００８】
上記課題を解決した本発明は、次のとおりである。
＜請求項１記載の発明＞
請求項１記載の発明は、上下枠及び左右縦枠から構成されるサッシ枠組み構造であって、前記下枠の下方若しくは上枠の上方、又は前記下枠の下方及び上枠の上方には、単窓サッシ若しくはこの単窓サッシを組み合わせた段窓サッシを選択可能に構成する、アタッチメントを係合させる係合受け部が形成され、前記アタッチメントは、前記下枠の下方に形成された前記係合受け部に係合する係合部と、躯体に下枠を取付けるための取付け片と、を備えた第１のアタッチメントと、中空部と、該中空部の上方に前記下枠の下方に形成された前記係合受け部に係合する第１係合部と、該中空部の下方に前記上枠の上方に形成された前記係合受け部に係合する第２係合部と、を備えた第２のアタッチメントと、からなり、前記サッシ枠組み構造は、前記第１のアタッチメントの係合部を前記下枠の下方の係合受け部に係合させ、前記下枠に前記第１のアタッチメントを取付けることにより、前記単窓サッシが形成される態様と、前記下枠の下方及び上枠の上方の係合受け部に前記第２のアタッチメントの前記第１及び第２係合部を係合させ、前記下枠と前記上枠とを前記第２のアタッチメントで連結することにより、前記段窓サッシが形成される態様と、を選択可能とされる、ことを特徴とするサッシ枠組み構造である。
【０００９】
（作用効果）
本発明に係るサッシ枠組み構造においては、下枠の下方若しくは上枠の上方、又は下枠及び上枠に係合受け部を形成し、これらの係合受け部に第１のアッタッチメント若しくは第２のアタッチメントを取付けることにより、単窓サッシ若しくは段窓サッシを選択可能に構成可能である。なお、以下に詳述する本発明におけるサッシ枠には、開き戸等のドア枠も含むものとする。
【００１０】
また、窓が装着されるサッシの内周面の構造は自在に構成できるので、嵌め殺し窓、引き違い窓等の各種窓を装着できる。各種窓以外にも、開き戸等のドア上枠に係合受け部を形成すれば、開き戸等のドア枠の上にも各種窓を装着できる。さらに、段窓サッシを構成する際に、専用の段窓無目の装着が不要なので、施工性及びコスト性に優れる。
【００１１】
このように、第１のアッタッチメント及び第２のアタッチメントからなるアタッチメントを共通部材として、各種窓を単窓若しくは段窓に選択的に構成することができ、また、部材の共通化を図ることにより、施工コストを抑えることができる。
【００１２】
＜請求項２記載の発明＞
請求項２記載の発明は、前記上枠はその上方に、前記アタッチメントを係合させる室内側係合受け部及び室内側係合受け部と、前記上枠を躯体に取付けるための取付け片と、を備え、前記下枠はその下方に、前記アタッチメントを係合させる室内側係合受け部及び室内側係合受け部を備えた、請求項１記載のサッシ枠組み構造である。
【００１３】
（作用効果）
上記構成のサッシ枠組み構造によれば、アタッチメントを交換するだけで単窓サッシ又は段窓サッシを形成できる。
【００１４】
＜請求項３記載の発明＞
請求項３記載の発明は、前記第１のアタッチメントは、前記下枠の下方に形成された室外側係合受け部及び室内側係合受け部に係合する、室外側係合部及び室内側係合部を有する板状の本体部と、この本体部の中間に配設された前記取付け片と、を備え、前記第１のアタッチメントを前記下枠に取付けた状態で、第１のアタッチメントの前記取付け片と前記上枠の取付け片とが略同一面上になるように構成された、請求項１又は２記載のサッシ枠組み構造である。
【００１５】
（作用効果）
第１のアタッチメントは、下枠の下方に形成された室外側係合受け部及び室内側係合受け部の２箇所で係合するので、下枠とアタッチメントとの一体性は高く、取付け強度が高い。
【００１６】
また、第１のアタッチメントをサッシ下枠に取付けた状態で、第１のアタッチメントの取付け片と上枠の取付け片とが略同一面上になるように構成されているので、単窓サッシがずれることなく、建物の躯体に取付けることができる。
【００１７】
＜請求項４記載の発明＞
請求項４記載の発明は、前記第２のアタッチメントは、中空部と、該中空部の上方に前記下枠の下方に形成された室外側係合受け部及び室内側係合受け部に係合する、室外側第１係合部及び室内側第１係合部と、該中空部の下方に前記上枠の上方に形成された室外側係合受け部及び室内側係合受け部に係合する、室外側第２係合部及び室内側第２係合部と、を備え、前記下枠と前記上枠とを前記第２のアタッチメントで連結した状態で、前記上枠の取付け片と前記中空部の室外側側面とが当接し、段窓サッシにおける上窓サッシと下窓サッシの少なくとも室内面が略同一面上になるように構成された、請求項１乃至３のいずれか１項記載のサッシ枠組み構造である。
【００１８】
（作用効果）
第２のアタッチメントは、下枠の下方に形成された室外側係合受け部及び室内側係合受け部の２箇所に係合するとともに、上枠の上方に形成された室外側係合受け部及び室内側係合受け部の２箇所に係合する構成となっているので、上窓サッシ及び下窓サッシとアタッチメントとの一体性は高く、取付け強度が高い。
【００１９】
また、第２のアタッチメントは、中空部を備えているので、中空部を有しない部材に比べて剛性が高く、開き戸等の可動性ある窓を装着して段窓を構成しても、ねじれやぐらつき等が生じるおそれが少ない。
【００２０】
さらに、下枠と上枠とを第２のアタッチメントで連結した状態で、上枠の取付け片と中空部の室外側側面とが当接し、段窓サッシにおける上窓サッシと下窓サッシの少なくとも室内面が略同一になるように構成されているので、上窓サッシと下窓サッシの少なくとも室内面がズレることなく、上窓サッシと下窓サッシとを同一面上に配設することができる。  
【００２１】
＜請求項５記載の発明＞
請求項５記載の発明は、前記上枠の取付け片と前記中空部の室外側側面とをビス止めすることにより、段窓サッシの枠組み構造が形成される構成とした、請求項１乃至４のいずれか１項記載のサッシ枠組み構造である。
【００２２】
（作用効果）
上枠の取付け片と中空部の室外側側面とをビス止めする構成としていることにより、該中空部内でビスを止めることができるので、段窓サッシの室内側にはビスの先端が出てくることないため、ビス隠し等の専用の隠し部材を装着する必要がない。
【００２３】
＜請求項６記載の発明＞
請求項６記載の発明は、前記上枠と前記下枠との隙間に弾性を有する無目を嵌合させることにより、段窓サッシの枠組み構造が形成される構成とした、請求項１乃至５のいずれか１項記載のサッシ枠組み構造である。
【００２４】
（作用効果）
本発明に係る無目は弾性を有しているので、上窓サッシと下窓サッシとを連結した後、上窓サッシの下枠と下窓サッシの上枠との隙間に嵌合させればよく、無目の取付けは容易である。
【発明の効果】
【００２５】
本発明によれば、単窓サッシ及びこれを用いた段窓サッシを形成するサッシ枠組み構造において、上窓サッシと下窓サッシとを連結するための段窓無目を使用せず、施工性に優れるとともに、部材の共通化をはかり製造コストを抑えつつ、嵌め殺し窓、引き違い窓等の各種窓を装着できる段窓を形成しうる等の利点がもたらされる。
【発明を実施するための最良の形態】
【００２６】
以下、本発明の実施の形態を説明する。
＜第１のアタッチメント及び第２のアタッチメント＞
本発明に係る第１のアタッチメントについて、図１、図３に基づき説明する。なお、図１は第１のアタッチメントの短辺方向の断面図、図３は嵌め殺しサッシ用の単窓サッシの縦断面図である。
【００２７】
第１のアタッチメント５は、室外側係合部５ａ及び室内側係合部５ｂを有する板状の本体部５Ａと、この本体部５Ａの略中間位置で、本体部５Ａと直交するように下方に配設された、鉄骨５４等の躯体に下枠２を取付けるための取付け片５Ｂと、を備えている。そして、室外側係合部５ａは、図３に示すように、下枠２の室外側外周面２Ｄの室内側端縁と室外側のビスホール２Ｑの下方縁部とで形成される室外側係合受け部２ａに係合され、室内側係合部５ｂは、下枠２の室内面２Ｆの下方端縁に形成された室内側係合受け部２ｂに係合されるように構成されている。上記断面構成を有する第１のアタッチメント５は、サッシ枠の長手方向に条状に延在している。
【００２８】
ここで、第１のアタッチメント５の取付け片５Ｂと上枠１の取付け片１Ｈとは略同一面上になるように構成されているので、単窓サッシがずれることなく、躯体に取付けることができる。
【００２９】
次に、本発明に係る第２のアタッチメントについて、図２、図６に基づき説明する。なお、図２は第２のアタッチメントの短辺方向の断面図、図６は嵌め殺しサッシ用の単窓サッシを用いて上窓サッシの下枠と下窓サッシの上枠とを連結した状態を示す部分縦断面図である。
【００３０】
第２のアタッチメント６は、上面６Ａ、室内側面６Ｂ、下面６Ｃ及び室外側面６Ｄからなる中空部６１と、上面６Ａと室外側面６Ｄとの直交端から室外側に逆凹状に屈曲してなる屈曲部６ｆと、この屈曲部６ｆの室外側端縁から室外側に延在した室外側第１係合部６ａと、上面６Ａと室内側面６Ｂとの直交端から室内側に延在した室内側第１係合部６ｂと、下面６Ｃと室外側面６Ｄとの直交端から室外側に延在した室外側第２係合部６ｄと、下面６Ｃと室内側面６Ｂとの直交端から室内側に延在した室内側第２係合部６ｅと、を備えている。図６に示すように、室外側第１係合部６ａは、上窓サッシの下枠２の室外側外周面２Ｄの室内側端縁と室外側のビスホール２Ｑの下方縁部とで形成される室外側係合受け部２ａに係合され、室内側第１係合部６ｂは、上窓サッシの下枠２の室内面２Ｆの下方端縁に形成された室内側係合受け部２ｂに係合されるように構成されている。また、室外側第２係合部６ｄは、下窓サッシの上枠１の室外側外周面１Ｄの室内側端縁と室内側外周面１Ｅとで形成される室外側係合受け部１ａに係合され、室内側第２係合部６ｅは、下窓サッシの上枠１の室内側外周面１Ｅとこの室内側外周面１Ｅより突出した係合突起とで形成される室内側係合受け部１ｂに係合されるように構成されている。そして、上記断面構成を有する第２のアタッチメント６は、サッシ枠の長手方向に条状に延在している。
【００３１】
第２のアタッチメント６の室外側に逆凹状に屈曲してなる（下方に開口がある）屈曲部６ｆは、下窓サッシの上枠１の取付け片１Ｈの先端部を挿入させ、上枠１と下枠２とによって形成される隙間を狭くするものであり、後述するように、この隙間にはゴム、パッキン材、その他軟質樹脂等の弾性体からなる無目５３が嵌合される。また、上窓サッシの上枠１の取付け片１Ｈと第２のアタッチメント６の中空部の室外側面６Ｄとは、相互に当接した状態で、上窓サッシと下窓サッシとを同一面上に配設される構成になっている。
【００３２】
また、第２のアタッチメント６の室外側第２係合部６ｄが下窓サッシの上枠１の室内側外周面１Ｅに当接し、下窓サッシの上枠１の取付け片１Ｈの先端が第２のアタッチメント６の屈曲部６ｆに当接する構成となっており、上窓サッシの荷重を下窓サッシに伝えることができ、下窓サッシを先に躯体に取付けた後に上窓サッシを取付ける場合で、上枠１の取付け片１Ｈと第２のアタッチメント６の中空部の室外側面６Ｄとをビス６５止め等する際の、作業者が上窓サッシを支える負担を軽減させることができる。
【００３３】
なお、無目５３の嵌合に先立ち、上枠１の取付け片１Ｈと中空部６１の室外側面６Ｄとをビス止めするが、このビス止めは該中空部６１内でビスを止めることができるので、室内側面６Ｂにはビスの先端が出てくることないため、室内側において、ビス隠し等の専用の隠し部材を装着する必要がない。
【００３４】
＜サッシの下枠及び上枠の構成＞
本発明に係るサッシの下枠及び上枠の構成について、後述する嵌め殺しサッシ用の単窓サッシを一例として、図３、図６に基づき説明する。図３に示すように、本発明に係るサッシの下枠２は、室外側係合受け部２ａと、室内側係合受け部２ｂと、を備えている。室外側係合受け部２ａは、下枠２の室外側外周面２Ｄの室内側端縁と室外側のビスホール２Ｑの下方縁部とで形成され、第１のアタッチメント５の室外側係合部５ａ又は第２のアタッチメント６の室外側第１係合部６ａを係合する構成となっている。また、室内側係合受け部２ｂは、下枠２の室内面２Ｆの下方端縁に形成され、室内側係合部５ｂ又は第２のアタッチメント６の室内側第１係合部６ｂを係合する構成となっている。
【００３５】
そして、第１のアタッチメント５が下枠２と係合する場合には、その係合により、下枠２の室外側外周面２Ｄと第１のアタッチメント５の板状の本体部５Ａとが略同一面上に連接し、下枠２の外周面が形成されるとともに、中空部２Ｊが形成される。また、第２のアタッチメント６が下枠２と係合する場合には、その係合により、下枠２の室外側外周面２Ｄと第２のアタッチメント６の屈曲部６ｆ及び上面６Ａとで下枠２の外周面が形成されるとともに、中空部２Ｊが形成される。この際、屈曲部６ｆは下枠２にとっての凹状の凹部として機能し、前述したように、下窓サッシの上枠１の取付け片１Ｈの先端部を挿入させ、上枠１と下枠２とによって形成される隙間を狭くする。
【００３６】
次に、図６に示すように、本発明に係るサッシの上枠１は、室外側係合受け部１ａと、室内側係合受け部１ｂと、を備えている。室外側係合受け部１ａは、下窓サッシの上枠１の室外側外周面１Ｄの室内側端縁と、該室外側外周面１Ｄよりも第２のアタッチメント６の室外側第２係合部６ｄ及び室内側第２係合部６ｅの略肉厚分だけ段差を有する室内側外周面１Ｅとで形成され、第２のアタッチメント６の室外側第２係合部６ｄを係合する構成となっている。また、室内側係合受け部１ｂは、下窓サッシの上枠１の室内側外周面１Ｅと、上記室内側外周面１Ｅより突出した係合突起とで形成され、第２のアタッチメント６の室内側第２係合部６ｅを係合する構成となっている。
【００３７】
上記構成のサッシの下枠若しくは上枠、又は下枠及び上枠であれば、これらの係合受け部に第１のアタッチメント５若しくは第２のアタッチメント６を取付けることにより、単窓サッシ若しくは段窓サッシを選択可能に構成可能である。また、上記説明では、嵌め殺しサッシ用の単窓サッシを例としたが、上記構成のサッシの下枠若しくは上枠、又は下枠及び上枠である限り、窓が装着されるサッシの内周面の構造は自在に構成できるので、外倒し窓、引き違い窓等の各種窓を装着できる。そのため、上窓サッシ及び下窓サッシも嵌め殺しサッシ、外倒し障子用サッシ、外開き障子用サッシ、引き違い障子用サッシ等の単窓サッシの中から任意に選択して組み合わせることができる。さらに、連結される単窓サッシは上窓サッシと下窓サッシに限られるものではなく、複数の単窓サッシを、例えば３段、４段、…と連結できる。
【００３８】
各種窓以外にも、開き戸等のドア上枠に係合受け部を形成すれば、開き戸等のドア枠の上にも各種窓を装着できる。このように、第１のアタッチメント５及び第２のアタッチメント６からなるアタッチメントを共通部材として、各種窓を単窓若しくは段窓に選択的に構成することができ、また、部材の共通化を図ることにより、施工コストを抑えることができる。
【００３９】
＜アタッチメントを用いた嵌め殺しサッシ用単窓サッシ枠組み構造＞
本発明に係るアタッチメントを用いた嵌め殺しサッシ用単窓サッシ枠組み構造について、主に、図３乃至６、図２６乃至２８に基づき説明する。なお、図４は嵌め殺しサッシ用単窓サッシの横断面図、図５は嵌め殺しサッシ用単窓サッシの枠組みを躯体に取付けた状態を示す、室外側正面図、図２６は上枠と左縦枠のコーナー部の枠組みを説明するための室外側部分正面図、図２７は単窓サッシを躯体に取付け、外装材を取付けた状態を示す、縦断面図、図２８は単窓サッシを躯体に取付け、外装材を取付けた状態を示す、左縦枠部分横断面図である。
【００４０】
嵌め殺しサッシ用単窓サッシは、上下枠１，２と左右縦枠３，４とをビス７３により固定し枠組みした、建物開口用半外付けサッシである。そして、上下枠１，２と左右縦枠３，４の内周面には、ガラス５０が装着され、嵌め殺しサッシを形成している。
【００４１】
まず、上枠１は、中空部１Ｊを取り囲むように、室内側内周面１Ａと、室外側内周面１Ｂと、室外面１Ｃと、室外側外周面１Ｄと、室内側外周面１Ｅと、室内面１Ｆと、取付け片１Ｈと、連架部７と、室外側押縁片１Ｋと、を備えており、さらに室内側押縁部材８は着脱自在になっている。
【００４２】
具体的には、単窓サッシの内周面を形成するのが室内側内周面１Ａと室外側内周面１Ｂであり、このうち室外側内周面１Ｂにはガラス５０を押さえるための室外側押縁片１Ｋが下方に立設されており、該室外側押縁片１Ｋの先端には室外側のガスケット５１を嵌合させるための被嵌合突起が形成されている。他方、室内側内周面１Ａの室外側端縁には、室内側のガスケット５１を嵌合させガラス５０を押さえるための室内側押縁部材８を係止する係止部が形成されている。この室内側押縁部材８は、室内側内周面１Ａの係止部に係止されるとともに、室外側内周面１Ｂの端縁の中空部１Ｊ側に係止されることで、着脱自在に固定されている。また、室内側内周面１Ａと室外側内周面１Ｂとを連架し、構造的に一体化させるための連架部７が室内側内周面１Ａと室外側内周面１Ｂとの間に跨設されている。そして、室外側内周面1Ｂ、室外側押縁片1Ｋ及び室内側押縁部材８によって囲まれた空間にガラス溝1Ｐが形成されている。
【００４３】
また、室外側内周面１Ｂには、サッシ枠の見付を形成する室外面１Ｃが立設され、該室外面１Ｃから室内及び室外側内周面１Ａ、１Ｂと略平行的に折曲して室外側外周面１Ｄが設けられており、該室外側外周面１Ｄの室内側端縁から、鉄骨５４等の躯体に上枠１を取付けるための取付け片１Ｈが立設されている。そして、前述したように、室内側外周面１Ｅは、室外側外周面１Ｄよりも第２のアタッチメント６の室外側第２係合部６ｄ及び室内側第２係合部６ｅの略肉厚分だけ段差を有している。さらに、室内側内周面１Ａの室内側端縁と直交して室内面１Ｆが立設されており、室外面１Ｃと同様にサッシ枠の見付を形成する。後述するが、中空部１Ｊ内には補強材を兼用したビスホール１Ｑ，１Ｑが設けられており、このビスホール１Ｑ，１Ｑは上枠１と左右縦枠３，４とのコーナー部の枠組みの際のビス７３止めのために用いられる。なお、上枠１の室外側係合受け部１ａと室内側係合受け部１ｂの説明は省略する。
【００４４】
次に、下枠２は、室内側内周面２Ａと、室外側内周面２Ｂと、室外面２Ｃと、室外側外周面２Ｄと、室内面２Ｆと、第１繋ぎ片９ａと、ビスホール２Ｑと、第２繋ぎ片９ｂと、を備えている。
【００４５】
具体的には、単窓サッシの内周面を形成するのが室内側内周面２Ａと室外側内周面２Ｂであり、このうち室外側内周面２Ｂの室内側端縁には、バックアップ材７１に載置されたガラス５０を押さえるガスケット５１を嵌合させるための被嵌合突起が形成されており、他方、室内側内周面２Ａの室外側端縁にも、同様に、室内側のガスケット５１を嵌合させるための被嵌合突起が形成されている。室外側内周面２Ｂには、サッシ枠の見付を形成する室外面２Ｃが下方に立設され、該室外面２Ｃから室内及び室外側内周面２Ａ、２Ｂと略平行的に折曲して室外側外周面２Ｄが設けられている。そして、室内側内周面２Ａの室外側端縁と室内側端縁との間には、第１繋ぎ片９ａが下方に立設されている。この第１繋ぎ片９ａの下方は補強材を兼用した室外側のビスホール２Ｑと連設されており、このビスホール２Ｑの下方縁部が第２繋ぎ片９ｂを介して室外側外周面２Ｄと連設されている。これら第１繋ぎ片９ａ、ビスホール２Ｑ、第２繋ぎ片９ｂが連設されることにより、ガラス溝１０と中空部２Ｊが区分けされている。さらに、室内側内周面２Ａの室内側端縁から室内面２Ｆが下方に立設されており、室外面２Ｃと同様にサッシ枠の見付を形成する。後述するが、ビスホール２Ｑ，２Ｑは下枠２と左右縦枠３，４とのコーナー部の枠組みの際のビス７３止めのために用いられる。なお、下枠２の室外側係合受け部２ａと室内側係合受け部２ｂの説明は省略する。
【００４６】
次に、左右縦枠３，４は、本体部３Ｍ，４Ｍと、室内片３Ｎ，４Ｎと、室外押縁片３Ｋ，４Ｋと、室内押縁片３Ｌ，４Ｌと、取付け片３Ｈ，４Ｈと、を備えている。
【００４７】
具体的には、本体部３Ｍ，４Ｍは板状の部材であり、この本体部３Ｍ，４Ｍの室内側端縁に、該本体部３Ｍ，４ＭとＴ字型に直交するように室内片３Ｎ，４Ｎが設けられている。また、本体部３Ｍ，４Ｍの室外側端縁には、左右縦枠３，４の見付を形成するとともに、ガラス５０を押さえるための室外側押縁片３Ｋ，４Ｋがサッシ長手方向に立設されており、該室外側押縁片３Ｋ，４Ｋの先端には室外側のガスケット５１を嵌合させるための被嵌合突起が形成されている。また、本体部３Ｍ，４Ｍの略中央から室内押縁片３Ｌ，４Ｌがサッシ長手方向に立設されており、上記と同様に、室内押縁片３Ｌ，４Ｌの先端には室内側のガスケット５１を嵌合させるための被嵌合突起が形成されている。そして、本体部３Ｍ，４Ｍ、室外押縁片３Ｋ，４Ｋ及び室内押縁片３Ｌ，４Ｌによって囲まれた空間に、ガラス溝３Ｐ、４Ｐが形成されている。さらに、本体部３Ｍ，４Ｍの躯体側の面には、鉄骨５４等の躯体に左右縦枠３，４を取付けるための取付け片３Ｈ，４Ｈが躯体方向に立設されている。
【００４８】
次に、図２６に基づき、上下枠１，２及び左右縦枠３，４の枠組み方法について説明する。なお、ここでは、上枠１と左縦枠３とのコーナー部の枠組みについて説明する。
【００４９】
枠組み前において、左縦枠３の両端部において本体部３Ｍを残して、室内片３Ｎと、室外押縁片３Ｋと、室内押縁片３Ｌと、をそれぞれ切除する。この切除状態を図２６に示してある。切除は、上枠１の断面寸法の高さ（見付寸法。ただし、室外側押縁片１Ｋ及び室内側押縁部材８の分は含まず。）及び幅（見込み寸法）分を左縦枠材３の両端から切欠き、かつ本体部３Ｍの肉厚分を残して行うのが望ましい。なお、本体部３Ｍの肉厚分を残さない場合は、図示はしないが、これに代えて上枠１の小口（両端）に嵌合可能な、上枠１の小口を覆う塞ぎ部材を取付けてもよい。
【００５０】
次いで、上枠１の室外側押縁片１Ｋ及び室内側押縁部材８を、左縦枠３の室外押縁片３Ｋ及び室内押縁片３Ｌの見付寸法の長さ分だけ切除する。そして、先の左縦枠３の本体部３Ｍに上枠１の室内側内周面１Ａ、室外側内周面１Ｂ、室外面１Ｃ、室外側外周面１Ｄ、室内側外周面１Ｅ、室内面１Ｆ等のそれぞれ小口を当接し、上枠１の中空部１Ｊ及びガラス溝１Ｐを左縦枠３の本体部３Ｍで覆う状態で、かつ、上枠１の室内側内周面１Ａ、室外側内周面１Ｂ等のそれぞれ内周面側で、左縦枠３の内側部の未切除部すなわちガラス溝３Ｐを覆う状態で、実施の形態では上枠１の中空部１Ｊに形成されたビスホール１Ｑ，１Ｑと左縦枠３の本体部３Ｍとをビス５止めする（具体的にはタップネジによりタップを立てながらねじ込む）。または、図示はしないが、左縦枠３の本体部３Ｍに予め、ビスホール１Ｑ，１Ｑと同位置になるようにビス孔を形成しておき、このビス孔を介してビス７３止めをしてもよい。
【００５１】
上枠１の中空部１Ｊ及びガラス溝１Ｐの小口は左縦枠３の本体部３Ｍで覆われるので、ここで基本的に気水密性は確保されることにより、コーナーキャップ等は不要となり、部品点数を削減でき経済的である。さらに、枠組みは、イ）上枠１の中空部１Ｊ及びガラス溝１Ｐの小口と左縦枠３の本体部３Ｍ、並びにロ）上枠１の室外側押縁片１Ｋ及び室内側押縁部材８の小口と左縦枠３の室外押縁片３Ｋ及び室内押縁片３Ｌの内周面、そして、ハ）上枠１の室内側内周面１Ａ、室外側内周面１Ｂ等のそれぞれ内周面側と左縦枠３の内側部の未切除部の端面（小口）との３面に当接する状態でビス止めして枠組みしたので、枠組みの位置決めは容易であり、かつ枠組み後の変形に関し、耐変形性が十分である。
【００５２】
ここで、上枠１の両端、換言すれば実施の形態では上枠１の室内側内周面１Ａ、室外側内周面１Ｂ等のそれぞれ小口と左縦枠３の本体部３Ｍとの間に、ゴムや不連続プラスチック発泡体などの弾性をもって圧縮可能な封止材６４を介在させるのが望ましい。封止材６４を介在させることにより、さらに気水密性を高めることができる。
【００５３】
なお、上記枠組みは、上枠１と右縦枠４との間、下枠２と左右縦枠３，４との間に形成されるコーナー部でも行われる。
【００５４】
そして、図２７及び２８に示すように、これら上下枠１，２及び左右縦枠３，４を枠組みして形成された単窓サッシは、取付け片１Ｈ，３Ｈ，４Ｈと、第１のアタッチメント５と、ネジ５９等の固着手段により、鉄骨５４等の躯体に取付けられる。外装の仕上げは、タイルやパネル等の外装材６０により、鉄骨５４等の躯体と取付け片１Ｈ，３Ｈ，４Ｈ及び第１のアタッチメント５の一部を覆い、取付け片１Ｈ，３Ｈ，４Ｈ及び第１のアタッチメント５の覆われていない四周の隙間部分に、ゴム、パッキン材、その他軟質樹脂等の弾性体からなる乾式目地６６を嵌合させることで形成される。なお、内装については、説明を省略する。この上記枠組み方法及び躯体、外装取付け方法は、後述する外倒し障子用単窓サッシ、外開き障子用単窓サッシ、開き戸用ドア枠、引き違い障子用単窓サッシに略共通するものである。
【００５５】
＜アタッチメントを用いた嵌め殺しサッシ用段窓サッシ枠組み構造＞
本発明に係るアタッチメントを用いた嵌め殺しサッシ用単窓サッシを連結した段窓サッシについて、図６に示された一実施例に基づき説明する。なお、図２９は段窓サッシの室外側正面図、図２８はその段窓サッシに無目５３を取付けた状態を示す室外側正面図である。
【００５６】
単窓サッシを連結して段窓サッシを形成する際には、まず、上窓サッシの左右縦枠３，４の取付け片３Ｈ，４Ｈの下端部と下窓サッシの左右縦枠３，４の取付け片３Ｈ，４Ｈの上端部を切欠いておく。この切欠の長さの合計は、上枠１の取付け片１Ｈの先端部が、第２のアタッチメント６の屈曲部６ｆの開口（凹部）に、挿入される呑み込みしろ分の長さでよい。したがって、上窓サッシの左右縦枠３，４の取付け片３Ｈ，４Ｈの下端部と下窓サッシの左右縦枠３，４の取付け片３Ｈ，４Ｈの上端部のどちらか一方のみを切欠けばよい場合もある。
【００５７】
次に、第２のアタッチメント６の室外側第１係合部６ａ及び室内側第１係合部６ｂをそれぞれ、上窓サッシの下枠２の室外側係合受け部２ａ及び室内側係合受け部２ｂに係合させるとともに、第２のアタッチメント６の屈曲部６ｆの開口に下窓サッシの上枠１の取付け片１Ｈの先端部を挿入させつつ、第２のアタッチメント６の室外側第２係合部６ｄ及び室内側第２係合部６ｅをそれぞれ、下窓サッシの上枠１の室外側係合受け部１ａ及び室内側係合受け部１ｂに係合させる。
【００５８】
そして、下窓サッシ上枠１の取付け片１Ｈと上窓サッシ下枠２に取付けた第２のアタッチメント６の室外側面６Ｄとを相互に当接させた状態で、ビス６５止めし、その後、下窓サッシ上枠１の室外側外周面１Ｄと上窓サッシ下枠２の室外側外周面２Ｄとによって形成される隙間にゴム、パッキン材、その他軟質樹脂等の弾性体からなる無目５３を嵌合することで段窓サッシは形成される。この無目５３の長さは、下窓サッシの上枠１及び上窓サッシの下枠２の長手方向長さと同じでよい。そして、図３０に示すように、取付け片１Ｈ，３Ｈ，４Ｈと、下窓サッシの下枠２の第１のアタッチメント５との外装材で覆われていない四周の隙間部分に、乾式目地６６を嵌合させればよい。なお、無目５５と乾式目地６６を同材料としてもよく、同材料とすれば、部品点数が少なくなり、コストを下げることができる。または、下窓サッシ上枠１の室内側外周面１Ｅと上窓サッシ下枠２の室内側外周面２Ｅとによって形成される隙間に、図示はしないが、無目５３を嵌合させてもよいし、シーリング材等でシールしてもよい。
【００５９】
当然のことながら、連結される単窓サッシは上窓サッシと下窓サッシに限られるものではなく、複数の上記単窓サッシを、例えば３段、４段、…と連結できる。また、上下方向だけではなく、上記単窓サッシにおいて上下枠１，２を左右縦枠とし、左右縦枠３，４を上下枠とすることにより、左右の横方向にも連結することができ、連窓サッシを形成することもできる。なお、上窓サッシや下窓サッシに連結される単窓サッシは、上記嵌め殺しサッシ用単窓サッシに限定されるものではなく、各種窓サッシを上窓サッシや下窓サッシとして連結することができる。
【００６０】
＜アタッチメントを用いた外倒し障子用単窓及び段窓サッシ枠組み構造＞
本発明に係るアタッチメントを用いた外倒し障子用単窓及び段窓サッシ枠組みについて、図７乃至１０に基づき説明する。なお、図７は外倒し障子を装着した単窓サッシの縦断面図、図８は外倒し障子を装着した単窓サッシの横断面図、図９は外倒し障子を装着した単窓サッシの枠組みを躯体に取付けた状態を示す、室外側正面図、図１０は外倒し障子を装着した単窓サッシで構成した上窓サッシの下枠と嵌め殺しサッシ用の単窓サッシで構成した下窓サッシの上枠とを連結した状態を示す部分縦断面図である。
【００６１】
上下枠１０１，１０２と左右縦枠１０３，１０４によって囲まれた単窓サッシの内周面に外倒し障子６８が装着されている。まず、上枠１０１は、中空部１０１Ｊを囲むように内周面１０１Ａと、室外面１０１Ｃと、室外側外周面１０１Ｄと、室内側外周面１０１Ｅ、室内片１０１Ｆと、を備えており、外周面１０１Ｄの躯体に対向する面の略中央から取付け片１０１Ｈが立設されている。
【００６２】
具体的には、上枠１０１の内周を形成する内周面１０１Ａの室外側端縁には、サッシ上枠の見付を形成する室外面１０１Ｃが立設され、さらに、内周面１０１Ａの下方で室外面１０１Ｃよりも室内側には、水切り片１０１Ｗが立設されている。この水切り片１０１Ｗの下方の先端には補強材が付設されており、この補強材には、水切り６９が嵌合されている。また、室外面１０１Ｃの上方の端縁には、室外側外周面１０１Ｄが内周面１０１Ａと平行になるように折曲して設けられており、この外周面１０１Ｄの躯体に対向する面の略中央から取付け片１０１Ｈが立設されている。そして、室内側外周面１０１Ｅは、室外側外周面１０１Ｄよりも第２のアタッチメント６の室外側第２係合部６ｄ及び室内側第２係合部６ｅの略肉厚分だけ段差を有している。また、室内側外周面１０１Ｅの室内側端縁からサッシ上枠の室内側の見付を形成する室内片１０１Ｆが直交して連設され、この室内片１０１Ｆの下方側の先端部には、タイト材６７を嵌合するためのリップ溝１０１Ｒが設けられているとともに、室内片１０１Ｆの室内面側には、外倒し障子６８の上框６８ａに設けられた開閉のためのレバー６８ｆと協働する、外倒し障子６８の位置制御ためのアーム６８ｅが取付けられている。なお、上枠１０１の室外側係合受け部１０１ａと室内側係合受け部１０１ｂの説明は、前述の上枠１の室外側係合受け部１ａ及び室内側係合受け部１ｂの説明と同様のため省略する。
【００６３】
次に、下枠１０２は、水切り面１０２Ｓと、室外面１０２Ｃと、室外側外周面１０２Ｄと、室内片１０２Ｆと、支持片１０２Ｔと、起立片１０２Ｕと、第１繋ぎ片１０９ａと、ビスホール１０２Ｑと、第２繋ぎ片１０９ｂと、第３繋ぎ片１０９ｃと、を備えており、室内側と室外側とに中空部１０２Ｊ，１０２Ｊ，１０２Ｊが形成されている。
【００６４】
下枠１０２の水切りとして機能し室外側に下方傾斜する水切り面１０２Ｓの室外側端縁には、サッシ下枠の見付を形成する室外面１０２Ｃが下方に折曲して延在し、この室外面１０２Ｃの下方の端縁には下枠１０２の外周を形成する室外側外周面１０２Ｄが折曲して設けられている。また、後述する支持片１０２Ｔの室内側端縁からサッシ下枠の室内側の見付を形成する室内片１０２Ｆが直交して連設されており、この室内片１０２Ｆの上方側の先端部には、タイト材６７を嵌合するためのリップ溝１０２Ｒが設けられている。室内片１０２Ｆの下方端と上方端との中間位置から、外倒し障子６８の下框６８ｂに取付けられたヒンジ６８ｇと当接し外倒し障子６８の荷重を支える支持片１０２Ｔが連設されており、この支持片１０２Ｔの略中央には、支持片１０２Ｔにかかる外倒し障子６８の荷重を水切り面１０２Ｓの室内側端に伝えるための起立片１０２Ｕが下方に立設されている。そして、水切り面１０２Ｓの室外側端縁と室内側端縁との間には、第１繋ぎ片１０９ａが下方に立設されている。この第１繋ぎ片１０９ａの下方は補強材を兼用した室外側のビスホール１０２Ｑと連設されており、このビスホール１０２Ｑの下方縁部が第２繋ぎ片９ｂを介して室外側外周面１０２Ｄと連設されている。またこのビスホール１０２Ｑの上方縁部から支持片１０２Ｔと平行的に第３繋ぎ片１０９ｃが連設されており、この第３繋ぎ片１０９ｃは室内片１０２Ｆと連設されている。なお、下枠１０２の室外側係合受け部１０２ａと室内側係合受け部１０２ｂの説明は前述の下枠２の室外側係合受け部２ａ及び室内側係合受け部２ｂの説明と同様のため省略する。
【００６５】
次に、左右縦枠１０３，１０４は、中空部１０３Ｊ，１０４Ｊを取り囲むように、内周面１０３Ａ，１０４Ａと、室内片１０３Ｎ，１０４Ｎと、本体部１０３Ｍ，１０４Ｍと、室外面１０３Ｃ，１０４Ｃと、を備えている。そして室内片１０３Ｎ，１０４Ｎには、第１の支持ブラケット６８ｈを介して外倒し障子６８の左右縦框６８ｃ，６８ｄを支持する第２の支持ブラケット６８ｊが取付けられている。
【００６６】
なお、上記外倒し障子用単窓サッシの枠組み方法及び単窓サッシとして建物開口部への取付けについては、前述した嵌め殺しサッシ用の単窓サッシの場合と略同様なので説明を省略する。また、この単窓サッシを用いて連結した段窓サッシについても同様に説明を省略する。図１０に示すように、上窓サッシを上記外倒し障子６８用単窓サッシとし、下窓サッシを前述した嵌め殺しサッシ用単窓サッシを連結して段窓サッシを構成することができる。図示はしないが、上窓サッシや下窓サッシに連結される単窓サッシは、上記嵌め殺しサッシ用単窓サッシに限定されるものではなく、各種窓サッシを上窓サッシや下窓サッシとして連結することができる。
【００６７】
＜アタッチメントを用いた外開き障子用単窓及び段窓サッシ枠組み構造＞
本発明に係るアタッチメントを用いた外開き障子用単窓及び段窓サッシ枠組みについて、図１１乃至１５に基づき説明する。なお、図１１は外開き障子を装着した単窓サッシの縦断面図、図１２は外開き障子を装着した単窓サッシの横断面図、図１３は外開き障子を装着した単窓サッシの枠組みを躯体に取付けた状態を示す、室外側正面図、図１４は外開き障子を装着した単窓サッシで構成した下窓サッシの上枠と嵌め殺しサッシ用の単窓サッシで構成した上窓サッシの下枠とを連結した状態を示す部分縦断面図、図１５は外開き障子を用いて両開き障子を構成した際の召し合わせ部分の横断面図である。
【００６８】
上下枠及び左右縦枠は、アタッチメントを用いた外倒し障子用単窓及び段窓サッシ枠組みと同様であり、上下枠１０１，１０２と左右縦枠１０３，１０４によって囲まれた単窓サッシの内周面に外開き障子７４が装着された、建物開口用半外付けサッシである。この外開き障子７４は、上框７４ａ、下框７４ｂ、左縦框７４ｃ、右縦框７４ｄからなっている。
【００６９】
サッシ枠組み構造の説明は省略し、アタッチメントを用いた外倒し障子用単窓及び段窓サッシ枠組みとは異なる構成について、符号の説明のみを行うこととする。７４ｅはアームストッパー、７４ｆはローラ、７４ｇはレバーハンドル、７４ｈはラッチ、７４ｊはラッチ受け、７４ｋはヒンジである。
【００７０】
図１４に示すように、上窓サッシを前述した嵌め殺しサッシ用単窓サッシとし、下窓サッシを上記外開き障子７４用単窓サッシを連結して段窓サッシを構成することができる。図示はしないが、上窓サッシや下窓サッシに連結される単窓サッシは、上記嵌め殺しサッシ用単窓サッシに限定されるものではなく、各種窓サッシを上窓サッシや下窓サッシとして連結することができる。さらに、図１５に示すように、室外側召し合わせ片７４ｍ、室内側召し合わせ片７４ｎ及びタイト材７４ｐを取付けることにより、両開き障子を構成することもできる。
【００７１】
＜アタッチメントを用いた開き戸用ドア枠組み構造＞
本発明に係るアタッチメントを用いた開き戸用ドア枠組みについて、図１６乃至２１に基づき説明する。なお、図１６は開き戸を装着したドア枠の縦断面図、図１７は開き戸を装着したドア枠の横断面図、図１８は開き戸を装着したドア枠の枠組みを躯体に取付けた状態を示す、室外側正面図、図１９は開き戸を装着したドア枠の上枠に嵌め殺しサッシ用の単窓サッシで構成した上窓サッシの下枠とを連結した状態を示す部分縦断面図、図２０は開き戸を用いて両開き戸を構成した際の召し合わせ部分の横断面図、図２１は開き戸に取付ける中桟の縦断面図である。
【００７２】
左右縦枠は、アタッチメントを用いた外倒し障子用単窓及び段窓サッシ枠組みと同様である。なお、上枠はアタッチメントを用いた外倒し障子用単窓及び段窓サッシ枠組みの場合に比べて、見付寸法が大きいことを除き、構造としては略同様なので便宜的に符号を共通して使用することとする。本発明に係るアタッチメントを用いた開き戸用ドア枠組み構造は、上枠１０１、左右縦枠１０３，１０４及び靴ずり２０２によって囲まれたドア枠の内周面に開き戸７５が装着されている。この開き戸７５は、上框７５ａ、下框７５ｂ、左縦框７５ｃ、右縦框７５ｄを備えている。
【００７３】
ドア枠組み構造の説明は省略し、アタッチメントを用いた外倒し障子用単窓及び段窓サッシ枠組みとは異なる構成について、符号の説明のみを行うこととする。７５ｅはドアチェック、７５ｆはヒンジである。なお、レバーハンドル、ラッチ、ラッチ受け等については便宜上図示はしていない。
【００７４】
図１９に示すように、上記開き戸７５用ドア枠の上枠に前述した嵌め殺しサッシ用単窓サッシを上窓サッシをとして連結することができる。図示はしないが、上窓サッシや下窓サッシに連結される単窓サッシは、上記嵌め殺しサッシ用単窓サッシに限定されるものではなく、各種窓サッシを上窓サッシとして連結することができる。また、図２０に示すように、室外側召し合わせ片７５ｍ、室内側召し合わせ片７５ｎ及びタイト材７５ｐを取付けることにより、両開き戸を構成することもできる。さらに、開き戸７５に取付けられたガラス５０を複数に分割するための中桟７６を取付けることができる。
【００７５】
＜アタッチメントを用いた引き違い障子用単窓及び段窓サッシ枠組み構造＞
本発明に係るアタッチメントを用いた引き違い障子用単窓及び段窓サッシ枠組みについて、図２２乃至２５に基づき説明する。なお、図２２は引き違い障子を装着した単窓サッシの縦断面図、図２３は引き違い障子を装着した単窓サッシの横断面図、図２４は引き違い障子を装着した単窓サッシの枠組みを躯体に取付けた状態を示す、室外側正面図、図２５は嵌め殺しサッシ用の単窓サッシで構成した上窓サッシの下枠と引き違い障子を装着した単窓サッシで構成した下窓サッシの上枠を連結した状態を示す部分縦断面図である。
【００７６】
引き違い障子用単窓サッシは、上下枠３０１，３０２と左右縦枠３０３，３０４とをビス（図示せず）により枠組みし、サッシ内周に外障子７８、内障子７９を装着した建物開口用半外付けサッシである。まず、上枠３０１は、室内側内周面３０１Ａと、室外側内周面３０１Ｂと、室外片（網戸用突条レール）３０１Ｃと、室外側外周面３０１Ｄと、室内側外周面３０１Ｅと、室内片３０１Ｆと、取付け片３０１Ｈと、内障子用突条レール３１１と、外障子用突条レール３１２と、を備えており、中空部３０１Ｊ，３０１Ｊが形成されている。次に、下枠３０２は、内障子用突条レール３２１と、外障子用突条レール３２２と、室外片（網戸用突条レール）３０２Ｃと、室外側外周面３０２Ｄと、室内片３０２Ｆと、第１のレール溝底面３０２Ａと、第２のレール溝底面３０２Ｂと、を備えており、中空部３０２Ｊ，３０２Ｊ，３０２Ｊが形成されている。次に、左右縦枠３０３，３０４は、本体部３０３Ｍ，３０４Ｍと、室内片３０３Ｎ，３０４Ｎと、室外片３０３Ｃ，３０４Ｃと、取付け片３０３Ｈ，３０４Ｈと、を備え、さらに左縦枠突条片３３１、右縦枠突条片３４１をそれぞれについて有している。装着される内障子７８、外障子７９は、上框７８ａ，７９ａ、下框７８ｂ，７９ｂ、左縦框７８ｃ，７９ｃ、右縦框７８ｄ，７９ｄを備えている。
【００７７】
サッシ枠組み構造の説明は同様に省略し、その他の点について符号の説明のみを行うこととする。３０１ａ，３０２ａは室外側係合受け部、３０１ｂ，３０２ｂは室内側係合受け部、３２３は引き残し用ストッパー、３２４は戸当たり用ストッパ−、７８ｅ，７８ｆ，７９ｅは縦タイト材である。室外側係合受け部３０１ａ，３０２ａ、室内側係合受け部３０１ｂ，３０２ｂは、上枠１の室外側係合受け部１ａ及び室内側係合受け部１ｂ、下枠２の室外側係合受け部２ａ及び室内側係合受け部２ｂと同様のため説明を省略する。なお、クレセント等については便宜上図示していない。
【００７８】
図２５に示すように、上記引き違い障子用単窓サッシ枠の上枠に前述した嵌め殺しサッシ用単窓サッシを上窓サッシをとして連結することができる。引き違い障子用単窓サッシ枠のほうが、嵌め殺し用サッシよりも見込み寸法が大きいが、両サッシの室内面は略同一面に収まっている。図示はしないが、上窓サッシや下窓サッシに連結される単窓サッシは、上記嵌め殺しサッシ用単窓サッシに限定されるものではなく、各種窓サッシを上窓サッシや下窓サッシとして連結することができる。
【図面の簡単な説明】
【００７９】
【図１】第１のアタッチメントの短辺方向の断面図である。
【図２】第２のアタッチメントの短辺方向の断面図である。
【図３】嵌め殺しサッシ用の単窓サッシの縦断面図である。
【図４】嵌め殺しサッシ用の単窓サッシの横断面図である。
【図５】嵌め殺しサッシ用の枠組みを躯体に取付けた状態を示す、室外側正面図である。
【図６】嵌め殺しサッシ用の単窓サッシを用いて上窓サッシの下枠と下窓サッシの上枠とを連結した状態を示す部分縦断面図である。
【図７】外倒し障子を装着した単窓サッシの縦断面図である。
【図８】外倒し障子を装着した単窓サッシの横断面図である。
【図９】外倒し障子を装着した単窓サッシの枠組みを躯体に取付けた状態を示す、室外側正面図である。
【図１０】外倒し障子を装着した単窓サッシで構成した上窓サッシの下枠と嵌め殺しサッシ用の単窓サッシで構成した下窓サッシの上枠とを連結した状態を示す部分縦断面図である。
【図１１】外開き障子を装着した単窓サッシの縦断面図である。
【図１２】外開き障子を装着した単窓サッシの横断面図である。
【図１３】外開き障子を装着した単窓サッシの枠組みを躯体に取付けた状態を示す、室外側正面図である。
【図１４】外開き障子を装着した単窓サッシで構成した下窓サッシの上枠と嵌め殺しサッシ用の単窓サッシで構成した上窓サッシの下枠とを連結した状態を示す部分縦断面図である。
【図１５】外開き障子を用いて両開き障子を構成した際の召し合わせ部分の横断面図である。
【図１６】開き戸を装着したドア枠の縦断面図である。
【図１７】開き戸を装着したドア枠の横断面図である。
【図１８】開き戸を装着したドア枠の枠組みを躯体に取付けた状態を示す、室外側正面図である。
【図１９】開き戸を装着したドア枠の上枠に嵌め殺しサッシ用の単窓サッシで構成した上窓サッシの下枠とを連結した状態を示す部分縦断面図である。
【図２０】開き戸を用いて両開き戸を構成した際の召し合わせ部分の横断面図である。
【図２１】開き戸に取付ける中桟の縦断面図である。
【図２２】引き違い障子を装着した単窓サッシの縦断面図である。
【図２３】引き違い障子を装着した単窓サッシの横断面図である。
【図２４】引き違い障子を装着した単窓サッシの枠組みを躯体に取付けた状態を示す、室外側正面図である。
【図２５】嵌め殺しサッシ用の単窓サッシで構成した上窓サッシの下枠と引き違い障子を装着した単窓サッシで構成した下窓サッシの上枠を連結した状態を示す部分縦断面図である。
【図２６】上枠と左縦枠のコーナー部の枠組みを説明するための室外側部分正面図である。
【図２７】単窓サッシを躯体に取付け、外装材を取付けた状態を示す、縦断面図である。
【図２８】単窓サッシを躯体に取付け、外装材を取付けた状態を示す、左縦枠部分横断面図である。
【図２９】本発明に係る段窓サッシの室外側正面図である。
【図３０】その段窓サッシに無目を取付けた状態を示す室外側正面図である。
【符号の説明】
【００８０】
１…上枠、２…下枠、３…左縦枠、４…右縦枠、１Ａ，２Ａ…室内側内周面、１Ｂ，２Ｂ…室外側内周面、１Ｃ，２Ｃ…室外面、１Ｄ，２Ｄ…室外側外周面、１Ｅ…室内側外周面、１Ｆ，２Ｆ…室内面、１Ｈ，３Ｈ，４Ｈ…取付け片、１Ｊ，２Ｊ…中空部、１Ｋ，３Ｋ，４Ｋ…室外側押縁片、３Ｌ，４Ｌ…室内側押縁片、３Ｍ，４Ｍ…本体部、３Ｎ，４Ｎ…室内片、１Ｐ，２Ｐ，３Ｐ，４Ｐ…ガラス溝、１Ｑ，２Ｑ…ビスホール、１ａ，２ａ…室外側係合受け部、１ｂ，２ｂ…室内側係合受け部、５…第１のアタッチメント、５Ａ…本体部、５Ｂ…取付け片、５ａ…室外側係合部、５ｂ…室内側係合部、６…第２のアタッチメント、６Ａ…上面、６Ｂ…室内側面、６Ｃ…下面、６Ｄ…室外側面、６ａ…室外側第１係合部、６ｂ…室外側第１係合部、６ｄ…室外側第２係合部、６ｆ…屈曲部、６ｅ…室内側第２係合部、７…連架部、８…室内側押縁部材、９ａ…第１繋ぎ片、９ｂ…第２繋ぎ片、１０…ガラス溝、１１…室外側側面、２１…室内側側面、５０…ガラス、５１…ガスケット、５２…ビス、５３…無目、５４…鉄骨、５６…ブラケット、５７…ビス孔、５８…内装材、５９…ビス、６０…外装材、６１…見切縦枠材、６２…見切上枠材、６３…見切下枠材、６４…封止材、６５…ビス、６６…乾式目地、６７…タイト材、６８…外倒し障子、６８ａ…上框、６８ｂ…下框、６８ｃ…左縦框、６８ｄ…右縦框、６８ｅ…アーム、６８ｆ…レバー、６８ｇ…ヒンジ、６８ｈ…第１の支持ブラケット、６８ｊ…第２の支持ブラケット、６９…水切り、７１…バックアップ材、７３…ビス、７４…外開き障子、７４ａ…上框、７４ｂ…下框、７４ｃ…左縦框、７４ｄ…右縦框、７４ｅ…アームストッパー、７４ｆ…ローラ、７４ｇ…レバーハンドル、７４ｈ…ラッチ、７４ｊ…ラッチ受け、７４ｋ…ヒンジ、７４ｍ…室外側召し合せ片、７４ｎ…室内側召し合せ片、７４ｐ…タイト材、７５…開き戸、７５ａ…上框、７５ｂ…下框、７５ｃ…左縦框、７５ｄ…右縦框、７５ｅ…ドアチェック、７５ｆ…ヒンジ、７５ｍ…室外側召し合せ片、７５ｎ…室内側召し合せ片、７５ｐ…タイト材、７６…床仕上げ、７７…中桟、７８…外障子、７８ａ…上框、７８ｂ…下框、７８ｃ…左縦框、７８ｄ…右縦框、７８ｅ，７８ｆ…縦タイト材、７９…内障子、７９ａ…上框、７９ｂ…下框、７９ｃ…左縦框、７９ｄ…右縦框、７９ｅ…縦タイト材、１０１…上枠、１０１Ａ…内周面、１０１Ｃ…室外面、１０１Ｄ…外周面、１０１Ｅ…室外側外周面、１０１Ｆ…室内片、１０１Ｈ…取付け片、１０１Ｊ…中空部、１０１Ｑ…ビスホール、１０１Ｒ…リップ溝、１０１Ｗ…水切り片、１０２…下枠、１０２Ｃ…室外面、１０２Ｄ…室外側外周面、１０２Ｆ…室内片、１０２Ｑ…ビスホール、１０２Ｒ…リップ溝、１０２Ｓ…水切り面、１０２Ｔ…支持片、１０２Ｕ…起立片、１０３…左縦枠、１０４…右縦枠、１０３Ａ，１０４Ａ…内周面、１０３Ｃ，１０４Ｃ…室外面、１０３Ｈ，１０４Ｈ…取付け片、１０３Ｊ，１０４Ｊ…中空部、１０３Ｍ，１０４Ｍ…本体部、１０３Ｎ，１０４Ｎ…室内片、１０９ａ…第１繋ぎ片、１０９ｂ…第２繋ぎ片、１０９ｃ…第３繋ぎ片、１２１…室内側側面、２０２…靴ずり、２０２ａ…タイト材、３０１…上枠、３０２…下枠、３０３…左縦枠、３０４…右縦枠、３０１Ａ…室内側内周面，３０１Ｂ…室外側内周面，３０１Ｃ…室外片（網戸用突条レール）、３０１Ｄ…室外側外周面、３０１Ｅ…室内側外周面、３０１Ｈ…取付け片、３０１Ｊ…中空部、３０１Ｆ…室内片、３０２Ａ…第１のレール溝底面、３０２Ｂ…第２のレール溝底面、３０２Ｃ…室外片（網戸用突条レール）、３０２Ｄ…室外側外周面、３０２Ｆ…室内片、３０２Ｊ…中空部、３０３Ｃ，３０４Ｃ…室外片、３０３Ｈ，３０４Ｈ…取付け片、３０３Ｍ，３０４Ｍ…本体部、３０３Ｎ，３０４Ｎ…室内片、３１１…内障子用突条レール、３１２…外障子用突条レール、３２１…内障子用突条レール、３２２…外障子用突条レール、３２３…引き残しストッパー、３２４…戸当たりストッパー、３３１…左縦枠突条片、３４１…右縦枠突条片。
【図１】
2005126910.tif 000003
【図２】
2005126910.tif 000004
【図３】
2005126910.tif 000005
【図４】
2005126910.tif 000006
【図５】
2005126910.tif 000007
【図６】
2005126910.tif 000008
【図７】
2005126910.tif 000009
【図８】
2005126910.tif 000010
【図９】
2005126910.tif 000011
【図１０】
2005126910.tif 000012
【図１１】
2005126910.tif 000013
【図１２】
2005126910.tif 000014
【図１３】
2005126910.tif 000015
【図１４】
2005126910.tif 000016
【図１５】
2005126910.tif 000017
【図１６】
2005126910.tif 000018
【図１７】
2005126910.tif 000019
【図１８】
2005126910.tif 000020
【図１９】
2005126910.tif 000021
【図２０】
2005126910.tif 000022
【図２１】
2005126910.tif 000023
【図２２】
2005126910.tif 000024
【図２３】
2005126910.tif 000025
【図２４】
2005126910.tif 000026
【図２５】
2005126910.tif 000027
【図２６】
2005126910.tif 000028
【図２７】
2005126910.tif 000029
【図２８】
2005126910.tif 000030
【図２９】
2005126910.tif 000031
【図３０】
2005126910.tif 000032